(57)【要約】【課題】  壁電荷を精密に制御できるプラズマディスプレイパネル及びその駆動方法を提供する。【解決手段】  第１電極及び第２電極によって定義される第１空間を含むプラズマ表示パネルを駆動するために，入力される映像信号をＮ個のサブフィールドで生成し，各サブフィールドに対するサブフィールドデータを出力する。そして，サステイン情報によって第１電極に第１電圧を印加して第１空間を放電させた後，直前サブフィールドのサブフィールドデータに対応する期間，第１電極をフローティング状態とする。このような過程を経ることによって，直前サブフィールドデータに応じてオンしたセルの数に基づいて第１電極のフローティング時間を調節してフローティングリセットを行うことができる。【選択図】  図１
2005055908.tif 000002
【特許請求の範囲】
【請求項１】
外部から入力される映像データをＮ個のサブフィールドに分けて再生し，各サブフィールドに含まれるリセット期間，アドレス期間，及び維持期間それぞれにおいて駆動されるプラズマディスプレイパネルであって：
複数のアドレス電極，前記アドレス電極と互いに対を成して配列された複数の走査電極，及び維持電極を含むプラズマパネルと；
前記映像信号の入力を受けて各サブフィールドに対応するサブフィールドデータ及びサステインパルス情報を生成すると共に，前記走査電極をフローティング状態にするフローティング制御信号を生成する制御部と；
前記サブフィールドデータに対応する電圧を前記アドレス電極に印加するアドレスデータ駆動部と；
前記サステインパルス情報に基づいて前記維持電極に電圧を印加する維持電極駆動部と；
前記フローティング制御信号に基づいて前記走査電極をフローティング状態とし，前記サステインパルス情報に基づいて前記走査電極に電圧を印加する走査電極駆動部と；
を含むことを特徴とする，プラズマディスプレイパネル。
【請求項２】
前記制御部は，直前サブフィールドデータに応じてオンしたセルの数が多いほど前記走査電極をフローティング状態とするフローティング時間が短くなるように前記フローティング制御信号を生成することを特徴とする，請求項１に記載のプラズマディスプレイパネル。
【請求項３】
前記制御部は：
前記映像信号の負荷率に応じて電力を制御するように電力制御データを出力する自動電力制御部と；
Ｎ個のサブフィールドを生成し，各サブフィールド別にサステインパルス情報を出力するサブフィールド生成部と；
前記映像信号をサブフィールドデータとして出力するサブフィールドデータ生成部と；
前記サブフィールドデータに応じてオンしたセルの個数と前記走査電極をフローティング状態とするフローティング時間との関係を記憶するメモリと；
前記メモリを参照して，直前サブフィールドにおいてオンしたセルの個数に対応するフローティング時間だけ前記走査電極がフローティング状態となるようにフローティング制御信号を前記走査電極駆動部に出力するフローティング制御部と；
を含むことを特徴とする，請求項１または２に記載のプラズマディスプレイパネル。
【請求項４】
前記走査電極駆動部は，
前記走査電極に前記電圧を印加する期間より前記走査電極をフローティング状態とするフローティング時間を長くし，
直前サブフィールドデータに応じてオンしたセルの数が増加するほど前記フローティング時間を短縮して前記走査電極を駆動することを特徴とする，請求項１〜３のいずれかに記載のプラズマディスプレイパネル。
【請求項５】
前記制御部は，
前記リセット期間の上昇ランプ期間において，前記維持電極を第１維持電圧に維持した状態で，前記走査電極に上昇ランプ波形を印加し，
前記リセット期間の下降ランプ期間において，前記維持電極を第２維持電圧に維持した状態で，前記走査電極に段階的に低下する電圧を順次印加することと，前記走査電極をフローティング状態とすることを繰り返すことを特徴とする，請求項１〜４のいずれかに記載のプラズマディスプレイパネル。
【請求項６】
入力される映像信号に基づいて複数個のサブフィールドデータを生成し，各サブフィールドデータとサステイン情報に応じて，リセット期間，アドレス期間，及び維持期間に分けて駆動されるプラズマディスプレイパネルであって：
第１電極，第２電極，及び第３電極と；
前記第１電極，前記第２電極，及び前記第３電極によって定義される第１空間と；
各リセット期間に前記第１電極と前記第２電極に駆動信号を送る駆動回路と；
を含み，
前記駆動回路は，前記リセット期間において，前記第１電極に電圧を印加することと，前記第１電極をフローティング状態とすることを繰り返し，
前記第１電極をフローティング状態に維持するフローティング時間は，直前サブフィールドデータに応じてオンしたセルの数に対応する，
ことを特徴とする，プラズマディスプレイパネル。
【請求項７】
第１電極は走査電極であり，前記第２電極は維持電極であり，第３電極はアドレス電極であり，
前記駆動回路は，
前記リセット期間の上昇ランプ期間において，前記維持電極を第１維持電圧に維持した状態で，前記走査電極に上昇ランプ波形を印加し，
前記リセット期間の下降ランプ期間において，前記維持電極を第２維持電圧に維持した状態で，前記走査電極に段階的に低下する電圧を順次印加することと，前記走査電極をフローティング状態とすることを繰り返すことを特徴とする，請求項６に記載のプラズマディスプレイパネル。
【請求項８】
前記駆動回路は，
前記第１電極に電圧を印加する期間より前記フローティング時間を長くし，
直前サブフィールドデータに応じてオンしたセルの数が増加するほど前記フローティング時間を短縮して前記第１電極を駆動することを特徴とする，請求項６または７に記載のプラズマディスプレイパネル。
【請求項９】
第１電極，第２電極，及び第３電極によって定義される第１空間を含むプラズマディスプレイパネルを駆動する方法であって：
入力される映像信号からＮ個のサブフィールドそれぞれに対応するＮ個のサブフィールドデータを生成し，各サブフィールドをリセット期間，アドレス期間，及び維持期間に分け，各サブフィールドに対するサステインパルス情報を出力し，前記Ｎ個のサブフィールドデータを第３電極に印加する第１段階と；
前記リセット期間において，前記第１電極に電圧を印加することと，前記第１電極をフローティング状態とすることを繰り返す第２段階と；
を含み，
前記第１電極をフローティング状態に維持するフローティング時間は，直前サブフィールドデータに応じてオンしたセルの数に対応する，
ことを特徴とする，プラズマディスプレイパネルの駆動方法。
【請求項１０】
前記第２段階において，前記第１電極に前記電圧を印加する期間より前記フローティング時間を長くすることを特徴とする，請求項９に記載のプラズマディスプレイパネルの駆動方法。
【請求項１１】
前記第２段階において，直前サブフィールドデータに応じてオンしたセルの数が増加するほど前記フローティング時間を短縮することを特徴とする，請求項９または１０に記載のプラズマディスプレイパネルの駆動方法。
【請求項１２】
第１電極及び第２電極によって定義される第１空間並びに前記第１空間をサブフィールドデータでアドレシングする駆動回路を含み，前記各サブフィールドデータとサステイン情報に応じて，リセット期間，アドレス期間，及び維持期間に分けて駆動されるプラズマディスプレイパネルの駆動方法であって，
前記リセット期間において，前記第１電極に電圧を印加することと，前記第１電極を直前サブフィールドデータに応じてオンしたセルの数に対応する時間フローティング状態とすることを繰り返すことを特徴とする，プラズマディスプレイパネルの駆動方法。
【請求項１３】
前記第１電極は走査電極であり，前記第２電極は維持電極であり，前記走査電極に電圧が印加されている段階及び前記走査電極をフローティング状態としている段階では，前記維持電極は一定の電圧でバイアスされることを特徴とする，請求項１２に記載のプラズマディスプレイパネルの駆動方法。
【請求項１４】
前記リセット期間において，前記第１電極に段階的に上昇する電圧が印加され，前記第１電極に前記電圧を印加する期間より前記第１電極をフローティング状態とするフローティング時間を長くし，直前サブフィールドデータに応じてオンしたセルの数が増加するほど前記フローティング時間を短縮することを特徴とする，請求項１２または１３に記載のプラズマディスプレイパネルの駆動方法。
【請求項１５】
前記リセット期間において，前記第１電極に段階的に下降する電圧が印加され，前記第１電極に前記電圧を印加する期間より前記第１電極をフローティング状態とするフローティング時間を長くし，直前サブフィールドデータに応じてオンしたセルの数が増加するほど前記フローティング時間を短縮することを特徴とする，請求項１２または１３に記載のプラズマディスプレイパネルの駆動方法。
【発明の詳細な説明】
【技術分野】
【０００１】
本発明は，プラズマディスプレイパネル（ＰＤＰ）及びその駆動方法に関する。
【背景技術】
【０００２】
プラズマディスプレイパネルは，気体放電によって生成されたプラズマを利用して文字または映像を表示する平面表示装置であって，その大きさによって数十から数百万個以上の画素がマトリックス形態で配列されている。このようなプラズマディスプレイパネルは，印加される駆動電圧波形の形態と放電セルの構造によって直流形（ＤＣ形）と交流形（ＡＣ形）に区分される。
【０００３】
一般に，交流形プラズマディスプレイパネルの駆動工程は，時間的な動作変化で表現すれば，リセット期間，アドレシング期間，及びサステイン期間から成る。
【０００４】
リセット期間は，直前のサステイン放電によって形成された壁電荷状態を消去し，次のアドレシング動作が円滑に行われるようにするために各セルの状態を初期化する期間である。アドレシング期間は，パネルで点灯させるセルと点灯させないセルを選択して，点灯させるセル（アドレシングされたセル）に壁電荷を積む動作を行う期間である。サステイン期間は，アドレシングされたセルに実際に画像を表示するための放電を行う期間である。サステイン期間においては，走査電極と維持電極にサステインパルスが交互に印加されてサステイン放電が生じ，これによって映像が表示される。
【０００５】
従来，リセット期間において壁電荷を設定するために，下記特許文献１に記載されたように，ランプ波形が走査電極に印加されていた。つまり，走査電極に対して，徐々に上昇する上昇ランプ波形が印加され，その後，徐々に下降する下降ランプ波形が印加されていた。
【０００６】
【特許文献１】米国特許第５，７４５，０８６号明細書
【発明の開示】
【発明が解決しようとする課題】
【０００７】
しかし，このようにランプ波形が走査電極に印加された場合，壁電荷の制御精密度がランプの傾斜に強く依存するため，決められた時間内において壁電荷を精密に制御できないおそれがあった。
【０００８】
そこで，本発明は，このような問題に鑑みてなされたもので，その目的は，壁電荷を精密に制御できる新規かつ改良されたプラズマディスプレイパネル及びその駆動方法を提供することにある。
【課題を解決するための手段】
【０００９】
上記課題を解決するために，本発明の第１の観点によれば，外部から入力される映像データをＮ個のサブフィールドに分けて階調を表示するプラズマディスプレイパネルが提供される。そして，このプラズマディスプレイパネルは，複数のアドレス電極，アドレス電極と互いに対を成して配列された複数の走査電極，及び維持電極を含むプラズマパネルと，映像信号の入力を受けて各サブフィールドに対応するサブフィールドデータ及びサステインパルス情報を生成すると共に，サブフィールドデータによってフローティング時間を制御するフローティング制御信号を出力する制御部と，サブフィールドデータに対応する電圧をアドレス電極に印加するアドレスデータ駆動部と，制御部から出力されるサステインパルス情報に基づいて維持電極に電圧を印加する維持電極駆動部と，フローティング制御信号に基づいて走査電極をフローティング状態とし，サステインパルス情報に基づいて走査電極に電圧を印加する走査電極駆動部と，を含むことを特徴としている。
【００１０】
制御部は，映像信号の負荷率に応じて電力を制御するように電力制御データを出力する自動電力制御部と，Ｎ個のサブフィールドを生成し，各サブフィールド別にサステインパルス情報を出力するサブフィールド生成部と，映像信号からサブフィールドに対応するサブフィールドデータを生成して出力するサブフィールドデータ生成部と，サブフィールドデータに応じてオンしたセルの個数と走査電極をフローティング状態とするフローティング時間との関係を記憶するメモリメモリを参照して，直前サブフィールドにおいてオンしたセルの個数に対応するフローティング時間だけ前記走査電極がフローティング状態となるようにフローティング制御信号を走査電極駆動部に出力するフローティング制御部と，を含むことが好ましい。
【００１１】
また，上記課題を解決するために，本発明の第２の観点によれば，入力される映像信号に基づいて複数個のサブフィールドデータを生成し，各サブフィールドデータとサステイン情報に応じて，リセット期間，アドレス期間，及び維持期間に分けて駆動されるプラズマディスプレイパネルが提供される。そして，このプラズマディスプレイパネルは，第１電極，第２電極，及び第３電極と，第１電極，第２電極，及び第３電極によって定義される第１空間と，各リセット期間に第１電極と第２電極に駆動信号を送る駆動回路と，を含むことを特徴としている。そして，駆動回路は，第１電極に第１電圧を印加して第１空間を放電させた後，第１電極をフローティング状態とすることが好ましい。第１電極をフローティング状態に維持するフローティング期間は，直前サブフィールドデータに応じてオンしたセルの数に対応することが好ましい。
【００１２】
また，上記課題を解決するために，本発明の第３の観点によれば，第１電極及び第２電極によって定義される第１空間並びに第１空間をサブフィールドデータでアドレシングする駆動回路を含むプラズマディスプレイパネルを駆動する方法が提供される。そして，この方法は，第１電極に第１電圧を印加して第１空間を放電させる放電電圧印加段階と，第１空間を放電させた後，直前フィールドのサブフィールドデータに応じてオンしたセルの個数に対応する期間，第１電極をフローティング状態とするフローティング段階と，を含むことを特徴としている。
【００１３】
また，上記課題を解決するために，本発明の第４の観点によれば，第１電極，第２電極，及び第３電極によって定義される第１空間を含むプラズマディスプレイパネルを駆動する方法が提供される。そして，この方法は，入力される映像信号からＮ個のサブフィールドそれぞれに対応するＮ個のサブフィールドデータを生成し，各サブフィールドに対するサステインパルス情報を出力し，Ｎ個のサブフィールドデータを第３電極に印加する第１段階と，第１電極に第１電圧を印加して第１空間を放電させる第２段階と，第１空間を放電させた後，第１電極を直前サブフィールドのサブフィールドデータに応じてオンしたセルの数に対応する期間，第１電極をフローティング状態とする第３段階と，を含むことを特徴としている。
【発明の効果】
【００１４】
本発明によれば，直前サブフィールドデータに応じてオンしたセルの数に基づいて第１電極をフローティング状態とするフローティング時間が決定される。したがって，リセット（放電）の速さが調節可能となり，所定のリセット期間にリセットを円滑に完了させることができる。
【発明を実施するための最良の形態】
【００１５】
以下に添付図面を参照しながら，本発明の好適な実施の形態について詳細に説明する。なお，本明細書および図面において，実質的に同一の機能構成を有する構成要素については，同一の符号を付することにより重複説明を省略する。なお，以下の説明において，ある部分が他の部分と接続されていると説明されている場合，これは直接的に接続されている場合だけでなく，これらの間に他の素子が介在している場合も含む。
【００１６】
図１は，本発明の実施の形態に係るプラズマディスプレイパネルの構成図である。
【００１７】
図１に示すように，本発明の実施の形態に係るプラズマディスプレイパネルは，プラズマパネル１００，制御部２００，アドレス駆動部３００，維持電極駆動部（以下，「Ｘ電極駆動部」と言う）４００，及び走査電極駆動部（以下，「Ｙ電極駆動部」と言う）５００を含む。
【００１８】
プラズマパネル１００は，列方向に配列されている複数のアドレス電極（Ａ１−Ａｍ），行方向に配列されている複数の維持電極（以下，「Ｘ電極」と言う）（Ｘ１−Ｘｎ），及び走査電極（以下，「Ｙ電極」と言う）（Ｙ１−Ｙｎ）を含む。Ｘ電極（Ｘ１−Ｘｎ）は，各Ｙ電極（Ｙ１−Ｙｎ）に対応して形成され，一般にその一端が互いに共通に接続されている。そして，プラズマパネル１００は，Ｘ電極（Ｘ１−Ｘｎ）とＹ電極（Ｙ１−Ｙｎ）が配列されたガラス基板（図示せず）と，アドレス電極（Ａ１−Ａｍ）が配列されたガラス基板（図示せず）から成る。二つのガラス基板は，Ｙ電極（Ｙ１−Ｙｎ）とアドレス電極（Ａ１−Ａｍ）が直交し，Ｘ電極（Ｘ１−Ｘｎ）とアドレス電極（Ａ１−Ａｍ）が直交するように，放電空間を間に置いて対向して配置される。このとき，アドレス電極（Ａ１−Ａｍ）とＸ電極（Ｘ１−Ｘｎ）及びアドレス電極（Ａ１−Ａｍ）とＹ電極（Ｙ１−Ｙｎ）の交差部にある放電空間が放電セルを形成する。
【００１９】
制御部２００は，外部から映像信号を受信して，アドレス駆動制御信号，Ｘ電極駆動制御信号，及びＹ電極駆動制御信号を出力する。そして，制御部２００は一つのフレームを複数のサブフィールドに分割して駆動し，各サブフィールドは時間的な動作変化で表現すれば，リセット期間，アドレシング期間，サステイン期間から成る。
【００２０】
アドレス駆動部３００は，制御部２００からアドレス駆動制御信号を受信して，表示しようとする放電セルを選択するための表示データ信号を各アドレス電極（Ａ１−Ａｍ）に印加する。Ｘ電極駆動部４００は，制御部２００からＸ電極駆動制御信号を受信して，Ｘ電極（Ｘ１−Ｘｎ）に駆動電圧を印加する。Ｙ電極駆動部５００は，制御部２００からＹ電極駆動制御信号を受信して，Ｙ電極（Ｙ１−Ｙｎ）に駆動電圧を印加する。
【００２１】
図１に示したように，制御部２００は，ガンマ補正部２１０，サブフィールドデータ生成部２２０，自動電力制御部２３０，サブフィールド生成部２４０，フローティング（Ｆｌｏａｔｉｎｇ，電気的浮遊）制御部２５０，及びメモリ２６０を含む。
【００２２】
ガンマ補正部２１０は，映像信号の入力を受けてプラズマ表示パネルの特性に合うようにガンマ値を補正して出力する。自動電力制御部２３０は，ガンマ補正部２１０から出力される映像データの平均信号レベルを測定し，測定した平均信号レベルに応じて電力を制御して電力制御データを出力する。ここで測定された映像データの平均信号レベルから映像信号の負荷率を算出することが可能である。サブフィールド生成部２４０は，自動電力制御部２３０から得た電力制御データに基づいてＮ個のサブフィールドを生成し，各サブフィールド別にサステインパルス情報を出力する。サブフィールドデータ生成部２２０は，外部から入力された映像信号からサブフィールドに対応するサブフィールドデータを生成して出力する。メモリ２６０は，サブフィールドデータによってオンしたセルの数及びサブフィールドデータによってオンしたセルの数に対応するフローティング時間を記憶する。フローティング制御部２５０は，メモリ２６０の内容を参照して，現在のサブフィールドの直前のサブフィールド（以下，「直前サブフィールド」という）のサブフィールドデータによってオンしたセルの数に対応するフローティング時間（電極をフローティング状態に維持する時間）で電極のフローティング状態を制御するように，フローティング制御信号をＹ電極駆動部５００に出力する。なお，フローティング制御部２５０の機能を必要に応じてサブフィールド生成部２４０の機能に含ませることも可能である。この場合，サブフィールド生成部２４０がＹ電極駆動部５００を駆動することになる。
【００２３】
以下，このような構成を有する本発明の実施の形態に係るプラズマ表示パネルの動作について図２〜図５ｂを参照しながら詳細に説明する。
【００２４】
まず，制御部２００のガンマ補正部２１０は，外部から入力される映像信号を受信してプラズマ表示パネルの特性に合うようにガンマ値を補正して出力する。
【００２５】
その後，自動電力制御部２３０は，ガンマ補正部２１０から出力される映像データの平均信号レベルを測定し，測定した平均信号レベルに応じて電力を制御して電力制御データを出力する。
【００２６】
次に，サブフィールド生成部２４０は，自動電力制御部２３０から得た電力制御データに基づいてＮ個のサブフィールドを生成し，各サブフィールド別にサステインパルス情報をＸ電極駆動部４００とＹ電極駆動部５００に出力する。
【００２７】
一方，サブフィールドデータ生成部２２０は，外部から入力された映像信号からサブフィールドに対応するサブフィールドデータを生成してアドレス駆動部３００に出力する。
【００２８】
また，メモリ２６０は，フローティング制御部２５０の制御に応じ，サブフィールドデータ生成部２４０から出力されたサブフィールドデータによってオンしたセルの数を記憶する。また，メモリ２６０は，サブフィールドデータによってオンするセルの数に対応するフローティング時間を予め記憶している。例えば，サブフィールドデータによってオンしたセルの数が増加するほどフローティング時間が増加するようなセルの数とフローティング時間との組み合わせを実験によって予め求め，この実験結果をテーブルの形態でメモリ２６０に格納する。リセットの役割は，アドレス動作のための最適の壁電荷状態を作ることにある。フローティングリセットを適用すれば，セル内部の壁電荷状態に応じて自然に放電が消滅しながら放電電圧の変動が起こる。このとき，フルブラック（Ｆｕｌｌ  Ｂｌａｃｋ）画面及び直前サブフィールドデータによってオンしたセルの数が少なければ，フローティング状態での電圧変動は最少化される。しかし，データオンしたセルの数が多い場合には電圧変動が大きくなり，リセットにかかる時間が増加する。したがって，直前サブフィールドデータに応じてオンしたセルの数が増加するほどフローティング時間を減少させてフローティングの傾斜を大きくし，直前サブフィールドデータに応じてオンしたセルの数が少なければ，フローティング時間を長くしてフローティングの傾斜（フローティング期間におけるランプ波形の平均傾き）をなだらかにしてもよい。このようなサブフィールドでオンしたセルの数に対応するフローティング時間は，実験を通じてその最適値が決定され，テーブル形態でメモリ２６０に格納されることが好ましい。このようなテーブルは制御プログラム形態でも実現できる。
【００２９】
その後，フローティング制御部２５０は，メモリ２６０の内容を参照して，直前サブフィールドデータに応じてオンしたセルの数に対応するフローティング時間で現在サブフィールドの走査電極への電圧印加時におけるフローティング状態を制御するように，フローティング制御信号をＹ電極駆動部５００に出力する。なお，フローティング制御部２５０の機能を必要に応じてサブフィールド生成部２４０の機能に含ませることも可能である。この場合，フローティング制御信号がサステインパルス情報に含まれ，Ｙ電極駆動部５００が駆動され得る。
【００３０】
その後，アドレス駆動部３００は，サブフィールドデータ生成部２２０からサブフィールドデータを受信して，表示しようとする放電セルを選択するための表示データ信号を各アドレス電極（Ａ１−Ａｍ）に印加する。
【００３１】
そして，Ｘ電極駆動部４００は，サブフィールド生成部２４０からサステインパルス情報を受信してＸ電極（Ｘ１−Ｘｎ）に駆動電圧を印加する。また，Ｙ電極駆動部５００は，サブフィールド生成部２４０からサステインパルス情報を受信してＹ電極（Ｙ１−Ｙｎ）に駆動電圧を印加する。このとき，Ｙ電極駆動部５００は，リセット期間に放電電圧をＹ電極に印加した後，Ｙ電極をフローティング状態とし，このような動作を繰り返す。そして，フローティング制御信号によってフローティング時間が決定される。
【００３２】
その後，プラズマパネル１００は，列方向に配列されている複数のアドレス電極（Ａ１−Ａｍ），行方向に配列されている複数のＸ電極（Ｘ１−Ｘｎ），及びＹ電極（Ｙ１−Ｙｎ）に各々信号を受信して当該データに対応する映像を表示する。
【００３３】
このような過程を経る本発明の実施の形態によれば，サブフィールドデータに応じてオンしたセルの数に基づいて，リセット期間のフローティング時間が制御される。したがって，決められた時間内にリセットを正確に行うことができる。
【００３４】
以下，図２〜図３ｂを参照しながら，各サブフィールドにおいてアドレス電極（Ａ１−Ａｍ），Ｘ電極（Ｘ１−Ｘｎ），及びＹ電極（Ｙ１−Ｙｎ）に印加される駆動波形について詳細に説明する。そして，以下では，一組のアドレス電極，Ｘ電極，及びＹ電極によって形成される放電セルを基準に説明をする。
【００３５】
図２は，本発明の実施の形態に係るプラズマディスプレイパネルの駆動波形図であり，図３ａ及び図３ｂは，同実施の形態に係る駆動波形による電極の電圧を示す図面である。
【００３６】
図２に示したように，一つのサブフィールドは，リセット期間Ｐｒ，アドレス期間Ｐａ，及びサステイン期間Ｐｓから成り，リセット期間Ｐｒは，消去期間Ｐｒ１，上昇ランプ期間Ｐｒ２，及び下降ランプ期間Ｐｒ３を含む。
【００３７】
一般にサステイン期間で最後のサステイン放電が終わると，Ｘ電極には（＋）電荷，Ｙ電極には（−）電荷が形成される。次に，リセット期間Ｐｒの消去期間Ｐｒ１では，サステイン期間が終わった後，Ｙ電極を基準電圧に維持した状態で，Ｘ電極に基準電圧からＶｅ電圧まで上昇するランプ波形を印加する。本発明の実施の形態では基準電圧を０Ｖに仮定する。その結果，Ｘ電極とＹ電極に積まれた各電荷が次第に消去される。
【００３８】
次に，リセット期間Ｐｒの上昇ランプ期間Ｐｒ２では，Ｘ電極を０Ｖ（第１維持電圧）に維持した状態で，Ｙ電極にＶｓ電圧からＶｓｅｔ電圧まで増加する上昇ランプ波形を印加する。その結果，Ｙ電極からアドレス電極及びＸ電極に各々微弱なリセット放電が起こって，Ｙ電極に（−）電荷が積まれ，アドレス電極及びＸ電極に（＋）電荷が積まれる。
【００３９】
そして，図２〜図３ｂに示すように，リセット期間Ｐｒの下降ランプ期間Ｐｒ３では，Ｘ電極を電圧Ｖｅ（第２維持電圧）に維持した状態で，Ｙ電極に電圧Ｖｓから基準電圧までの下降電圧を印加する。ただしこのとき，まず，期間ＴｒにおいてＹ電極に印加する電圧を一定量だけ急速に減少させた後，期間ＴｆにおいてＹ電極に供給する電圧を遮断してＹ電極をフローティング状態とする。そして，これらの期間Ｔｒと期間Ｔｆを繰り返す。
【００４０】
期間Ｔｒと期間Ｔｆを繰り返す間に，Ｘ電極の電圧ＶｘとＹ電極の電圧Ｖｙとの間の電圧差が放電開始電圧Ｖｆ以上になると，Ｘ電極とＹ電極の間で放電が起こる。つまり，放電空間で放電電流Ｉｄが流れる。Ｘ電極とＹ電極の間で放電が開始した後，Ｙ電極がフローティング状態になると，Ｘ電極とＹ電極に形成されていた壁電荷が減りながら放電空間内部の電圧が急激に減少し，放電空間内部で強い放電消滅が発生する。その後，再びＹ電極に下降電圧を印加して放電を形成させた後，Ｙ電極をフローティング状態にすれば，上記と同様に壁電荷が減少すると共に放電空間内部に強い放電消滅が発生する。そして，このような下降電圧印加及びＹ電極のフローティング化が所定回数繰り返されると，Ｘ電極及びＹ電極に所望の量の壁電荷が形成される。
【００４１】
このとき，壁電荷を適切に制御するためには下降電圧印加期間Ｔｒを短くすることが好ましい。電圧が印加される期間Ｔｒが長ければ，放電が過度に大きく形成され，１回の放電とＹ電極のフローティング化で制御できる壁電荷の量が大きくなってしまう。このように一度に制御される壁電荷の量が大きくなれば，壁電荷を所望の状態にすることができないことがある。
【００４２】
上で説明したように，本実施の形態によれば，直前サブフィールドデータに応じてオンしたセルの数に基づいてフローティング時間が制御される。直前サブフィールドデータに応じてオンしたセルの数が少ない場合は，図３ａに示したように，フローティング時間を長くしてリセット動作を行うことが好ましい。
【００４３】
これに対して，直前サブフィールドデータに応じてオンしたセルの数が多い場合は，図３ｂに示したように，フローティング時間を短くしてリセット動作を行うことが好ましい。
【００４４】
以下では前述したフローティングによる強い放電消滅について図４ａ〜図４ｅを参照しながら詳細に説明する。そして，主にＸ電極とＹ電極の間で放電が起こるため，放電セルでＸ電極とＹ電極を基準に説明する。
【００４５】
図４ａは，Ｘ電極とＹ電極によって形成される放電セルをモデリングした図面であり，図４ｂは，図４ａの等価回路図である。図４ｃは，図４ａの放電セルで放電が起こらない場合を示す図面である。図４ｄは，図４ａの放電セルで放電が起こった場合に電圧が印加された状態を示す図面であり，図４ｅは，図４ａの放電セルで放電が起こった場合にＹ電極１０がフローティング化された状態を示す図面である。図４ａには，説明の便宜のために，Ｙ電極１０とＸ電極２０に各々−σｗ及び＋σｗの電荷が形成されている状態（初期状態）を示した。そして，実際には電荷は電極の誘電体層上に形成されるが，以下では説明の便宜上，電極に形成されるものとして説明する。
【００４６】
図４ａに示すように，Ｙ電極１０は，スイッチＳＷを通じて電流源Ｉｉｎに電気的に接続されており，Ｘ電極２０は，電圧Ｖｅの供給源に電気的に接続されている。Ｙ電極１０及びＸ電極２０の内側には各々誘電体層３０，４０が形成されている。誘電体層３０，４０の間には放電ガス（図示せず）が注入されており，この誘電体層３０，４０の間の領域が放電空間５０を形成する。
【００４７】
Ｙ電極１０，Ｘ電極２０，誘電体層３０，誘電体層４０，及び放電空間５０は，容量性負荷を形成するため，図４ｂに示すように，これらを等価的にパネルキャパシタＣｐで表すことができる。なお，二つの誘電体層３０，４０の誘電常数がεｒであり，放電空間５０の間にかかる電圧がＶｇであり，二つの誘電体層３０，４０の厚さが共にｄ１であり，二つの誘電体層３０，４０の間の距離（放電空間５０の距離）がｄ２である場合に即して本実施の形態を説明する。
【００４８】
スイッチＳＷが導通した時，パネルキャパシタＣｐのＹ電極１０に印加される電圧Ｖｙは，数式１のようにスイッチＳＷが導通する時間に比例して減少する。つまり，スイッチＳＷが導通すれば，Ｙ電極１０には下降電圧が印加される。
【００４９】
【数１】
2005055908.tif 000003
【００５０】
ここで，Ｖｙ（０）はスイッチＳＷがオンになる時のＹ電極１０の電圧Ｖｙであり，ＣｐはパネルキャパシタＣｐのキャパシタンスである。
【００５１】
図４ｃを参照しながら，スイッチＳＷが導通した状態で放電が起こらない場合に放電空間５０に印加される電圧Ｖｇを計算する。ここでは，図４ｃの状態でＹ電極１０に印加された電圧はＶｉｎと仮定する。
【００５２】
このようにＹ電極１０に電圧Ｖｉｎが印加されると，Ｙ電極１０には−σｔだけの電荷が印加され，Ｘ電極２０には＋σｔだけの電荷が印加される。ガウス法則（Ｇａｕｓｓｉａｎ  ｔｈｅｏｒｅｍ）を適用すれば，誘電体３０，４０内部の電界Ｅ１と放電空間５０内部の電界Ｅ２は各々数式２及び数式３のように与えられる。
【００５３】
【数２】
2005055908.tif 000004
【００５４】
【数３】
2005055908.tif 000005
【００５５】
ここで，σｔはＹ電極１０とＸ電極２０に印加される電荷量を示しており，ε０は放電空間５０の内部の誘電率である。
【００５６】
そして，外部に印加される電圧（Ｖｅ−Ｖｙ）は，電界と距離との関係によって数式４のように与えられ，同様に放電空間５０の電圧Ｖｇは数式５のようになる。
【００５７】
【数４】
2005055908.tif 000006
【００５８】
【数５】
2005055908.tif 000007
【００５９】
数式２〜数式５から，Ｙ電極１０またはＸ電極２０に印加される電荷量σｔと放電空間５０内部の電圧Ｖｇは各々数式６及び数式７のようになる。
【００６０】
【数６】
2005055908.tif 000008
【００６１】
ここで，Ｖｗは，放電空間５０において壁電荷σｗによって形成される電圧である。
【００６２】
【数７】
2005055908.tif 000009
【００６３】
実際には，放電空間５０内部の長さｄ２は，誘電体３０，４０の厚さｄ１に比べて非常に大きい値であるため，αは“１”に近い。つまり，数式７から，外部から印加される電圧（Ｖｅ−Ｖｉｎ）が放電空間５０にそのまま印加されることが分かる。
【００６４】
次に，図４ｄを参照しながら，外部から印加される電圧（Ｖｅ−Ｖｉｎ）によって放電が起こってＹ電極１０とＸ電極２０に形成された壁電荷がσｗ’だけ消滅するときの放電空間５０内部の電圧Ｖｇ１を計算する。図４ｄに示したように，壁電荷形成時に電極の電位を維持するために電源Ｖｉｎから電荷が供給されるため，Ｙ電極１０及びＸ電極２０に印加される電荷量はσｔ’に増加する。
【００６５】
図４ｄの状態にガウス法則を適用すれば，誘電体３０，４０内部の電界Ｅ１及び放電空間５０内部の電界Ｅ２は各々数式８及び数式９のようになる。
【００６６】
【数８】
2005055908.tif 000010
【００６７】
【数９】
2005055908.tif 000011
【００６８】
数式８及び数式９から，Ｙ電極１０とＸ電極２０に印加される電荷量σｔ’と放電空間５０内部の電圧Ｖｇ１は各々数式１０及び数式１１のようになる。
【００６９】
【数１０】
2005055908.tif 000012
【００７０】
【数１１】
2005055908.tif 000013
【００７１】
数式１１においてαはほとんど“１”であるため，外部から電圧Ｖｉｎが印加される場合には放電が起こったときに放電空間５０内部で非常に小さい電圧降下が発生する。したがって，放電によって消滅する壁電荷σｗ’の量が非常に大きくなければ，放電空間５０内部電圧Ｖｇ１が減って放電が消滅しない。
【００７２】
次に，図４ｅを参照しながら，外部から印加される電圧Ｖｉｎによって放電が起こって，Ｙ電極１０とＸ電極２０に形成された壁電荷がσｗ’だけ消滅した後，スイッチＳＷを開放した（放電空間５０をフローティング状態にした）ときの放電空間５０内部の電圧Ｖｇ２を計算する。このとき，外部から流入する電荷がないため，Ｙ電極１０及びＸ電極２０に印加されている電荷量は図４ｃの場合と同じσｔになる。同様にガウス法則を適用すれば，誘電体３０，４０内部の電界Ｅ１と放電空間５０内部の電界Ｅ２は各々数式２及び数式１２のようになる。
【００７３】
【数１２】
2005055908.tif 000014
【００７４】
数式１２と数式６から放電空間５０の電圧Ｖｇ２は数式１３のように与えられる。
【００７５】
【数１３】
2005055908.tif 000015
【００７６】
数式１３から，スイッチＳＷが開放された状態（フローティング状態）では消滅する壁電荷によって大きい電圧降下があることが分かる。つまり，数式１２及び数式１３を見れば明らかなように，電極がフローティング状態の場合は，電極に電圧が印加されている場合に比べて，壁電荷による電圧降下の大きさが１／（１−α）倍だけ大きくなる。電極がフローティング状態にある場合，壁電荷が少し消滅しても放電空間５０内部の電圧が急激に減少するため，電極の間の電圧が放電開始電圧以下になって放電が急激に消滅する。つまり，放電開始後に電極をフローティング状態にすることは，放電の急激な消滅メカニズムとして作用することが分かる。そして，放電空間５０内部の電圧が減少する場合には，Ｘ電極は電圧Ｖｅに固定されているため，フローティング状態となっているＹ電極の電圧Ｖｙは，図３ａ及び図３ｂに示すように一定のレベルだけ増加する。
【００７７】
ここで再び図３ａと図３ｂを参照する。Ｙ電極の電圧が下降して放電が発生するときにＹ電極がフローティング状態となれば，前述した放電消滅メカニズムによってＹ電極及びＸ電極に形成された壁電荷が少し消滅した状態で放電が消滅する。このような動作を継続して繰り返すと，Ｙ電極及びＸ電極に形成された壁電荷を少しずつ消去しながら壁電荷を所望の状態まで制御することができる。つまり，リセット期間Ｐｒの下降ランプ期間Ｐｒ３において，所望の壁電荷状態に正確に制御することができる。
【００７８】
本発明の実施の形態では，リセット期間Ｐｒの下降ランプ期間Ｐｒ３における動作を説明したが，本発明はこれに限定されず，下降ランプ波形を使用して壁電荷を制御する全ての場合に適用することができる。また，本発明は上昇ランプ波形を使用して壁電荷を制御する場合にも適用できる。以下では図５を参照しながら，図２の上昇ランプ期間Ｐｒ２においてＹ電極１０をフローティング状態とする場合を例に挙げて説明する。
【００７９】
図５ａ及び図５ｂは，本発明の実施の形態に係る上昇ランプ波形を示す図面である。
【００８０】
図２，図５ａ，及び図５ｂに示すように，リセット期間Ｐｒの上昇ランプ期間Ｐｒ３でＸ電極を０Ｖに維持した状態で，Ｙ電極に電圧Ｖｓから電圧Ｖｓｅｔまで段階的に上昇するの上昇電圧を印加する。ただしこのとき，まず，期間ＴｒにおいてＹ電極に印加する電圧を一定量だけ急速に増加させた後，期間ＴｆにおいてＹ電極に供給する電圧を遮断してＹ電極をフローティング状態とする。そして，これらの期間Ｔｒと期間Ｔｆを繰り返す。
【００８１】
期間Ｔｒと期間Ｔｆを繰り返す間に，Ｙ電極の電圧ＶｙとＸ電極の電圧Ｖｘとの間の電圧差が放電開始電圧Ｖｆ以上になると，Ｘ電極とＹ電極の間で放電が起こる。Ｘ電極とＹ電極の間で放電が開始した後，Ｙ電極がフローティング状態になると，前述したように放電空間内部の電圧が急激に減少して放電空間内部で強い放電消滅が発生する。そして，Ｘ電極とＹ電極の間の放電によってＸ電極に（＋）電荷が形成され，Ｙ電極に（−）電荷が形成される。このとき，前述したように放電空間内部の電圧が減少するため，フローティング状態のＹ電極の電圧Ｖｙは一定の電圧だけ減少する。
【００８２】
その後，再びＹ電極に上昇電圧を印加して放電を形成させた後，Ｙ電極をフローティング状態にすれば，上記と同様に壁電荷が形成されると共に放電空間内部に強い放電消滅が発生する。そして，このような上昇電圧印加及びＹ電極のフローティング化が所定回数繰り返されると，Ｘ電極及びＹ電極に所望の量の壁電荷が形成される。前述したように，壁電荷を適切に制御するためには上昇電圧印加期間Ｔｒを短くすることが好ましい。
【００８３】
上で説明したように，本実施の形態によれば，直前サブフィールドデータに応じてオンしたセルの数に基づいてフローティング時間が制御される。直前サブフィールドデータに応じてオンしたセルの数が少ない場合は，図５ａに示したように，フローティング時間を長くしてリセット動作を行うことが好ましい。
【００８４】
これに対して，直前サブフィールドデータに応じてオンしたセルの数が多い場合は，図５ｂに示したように，フローティング時間を短くしてリセット動作を行うことが好ましい。
【００８５】
このように本発明の実施の形態によれば，上昇ランプ波形または下降ランプ波形で電圧を印加した後，直前サブフィールドデータに応じてオンしたセルの数に基づいてフローティング時間を決定して，所定の電極（Ｙ電極）をフローティング化する動作を繰り返す。これによって，決められたリセット期間にリセットが行われ，壁電荷が所望の状態に適切に制御される。
【００８６】
なお，本発明の実施の形態では走査電極をフローティング化させる方法を中心に説明したが，この他，放電セルを構成する走査電極，維持電極，及びアドレス電極のいずれか一つをフローティング化するようにしてもよい。
【００８７】
以上，添付図面を参照しながら本発明の好適な実施形態について説明したが，本発明は係る例に限定されない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００８８】
本発明は，プラズマディスプレイパネルに適用可能である。
【図面の簡単な説明】
【００８９】
【図１】本発明の実施の形態に係るプラズマディスプレイパネルの構成図である。
【図２】図１のプラズマディスプレイパネルの駆動波形図である。
【図３ａ】図１のプラズマディスプレイパネルに適用されるフローティング時間を含む下降ランプ波形図（その１）である。
【図３ｂ】図１のプラズマディスプレイパネルに適用されるフローティング時間を含む下降ランプ波形図（その２）である。
【図４ａ】維持電極と走査電極によって形成される放電セルのモデリング図である。
【図４ｂ】図４ａの等価回路図である。
【図４ｃ】図４ａの放電セルにおいて，放電が起こらない場合のモデリング図である。
【図４ｄ】図４ａの放電セルにおいて，放電が起こった場合に電圧が印加された状態を示すモデリング図である。
【図４ｅ】図４ａの放電セルにおいて，放電が起こった場合に電極をフローティング化した状態を示すモデリング図である。
【図５ａ】図１のプラズマディスプレイパネルに適用されるフローティング時間を含む上昇ランプ波形（その１）である。
【図５ｂ】図１のプラズマディスプレイパネルに適用されるフローティング時間を含む上昇ランプ波形（その２）である。
【符号の説明】
【００９０】
１０    Ｙ電極
２０    Ｘ電極
３０，４０    誘電体層
５０    放電空間
１００    プラズマパネル
２００    制御部
２１０    ガンマ補正部
２２０    サブフィールドデータ生成部
２３０    自動電力制御部
２４０    サブフィールド生成部
２５０    フローティング制御部
２６０    メモリ
３００    アドレス駆動部
４００    維持電極駆動部
５００    走査電極駆動部
Ａ１−Ａｍ    アドレス電極
Ｘ１−Ｘｎ    維持電極（Ｘ電極）
Ｙ１−Ｙｎ    走査電極（Ｙ電極）
Ｃｐ    パネルキャパシタ
ｄ１    誘電体の厚さ
ｄ２    放電空間内部の長さ
Ｅ１    誘電体内部の電界
Ｅ２    放電空間内部の電界
Ｉｄ    放電電流
Ｐａ    アドレス期間
Ｐｒ    リセット期間
Ｐｒ１    消去期間
Ｐｒ２    上昇ランプ期間
Ｐｒ３    下降ランプ期間
Ｐｓ    サステイン期間
ＳＷ    スイッチ
Ｖｆ    放電開始電圧
Ｖｇ    放電空間の電圧
Ｖｇ１，Ｖｇ２    放電空間内部の電圧
Ｖｘ    Ｘ電極の電圧
Ｖｙ    Ｙ電極の電圧
【図１】
2005055908.tif 000016
【図２】
2005055908.tif 000017
【図３ａ】
2005055908.tif 000018
【図３ｂ】
2005055908.tif 000019
【図４ａ】
2005055908.tif 000020
【図４ｂ】
2005055908.tif 000021
【図４ｃ】
2005055908.tif 000022
【図４ｄ】
2005055908.tif 000023
【図４ｅ】
2005055908.tif 000024
【図５ａ】
2005055908.tif 000025
【図５ｂ】
2005055908.tif 000026